(57)【要約】本発明は、複数の発光素子（１）を有する表示装置であって、前記素子のうちの少なくとも１つが関連コンデンサ（Ｃ１）を持つ表示装置に関する。前記表示装置は、前記関連コンデンサ（Ｃ１）を少なくとも部分的に充電する予備充電信号を生成する予備充電手段（７、８）を有する。前記予備充電手段（７、８）は、少なくとも、第１予備充電段階の第１予備充電信号と、第２予備充電段階の第２予備充電信号とを有する予備充電信号を生成するよう適応される。前記予備充電信号は、好ましくは、後に電圧予備充電信号が続く電流予備充電信号を有する。組み合わせ予備充電信号は、高速だが正確な予備充電という利点を持つ。
2006506680.tif 000002
【特許請求の範囲】
【請求項１】
複数の発光素子を有する表示装置であって、前記素子のうちの少なくとも１つが関連コンデンサを持ち、前記装置が前記関連コンデンサを少なくとも部分的に充電する予備充電信号を生成する予備充電手段を有し、前記予備充電信号が、少なくとも、第１予備充電段階の第１予備充電信号と、第２予備充電段階の第２予備充電信号とを有する表示装置。
【請求項２】
前記予備充電手段が、前記第１予備充電段階の間前記第１予備充電信号として予備充電電流を生成する電流源と、前記第２予備充電段階の間前記第２予備充電信号として後続予備充電電圧を生成する電圧源とを有することを特徴とする請求項１に記載の表示装置。
【請求項３】
動作中前記予備充電電流を制限する電流制限手段が設けられることを特徴とする請求項２に記載の表示装置。
【請求項４】
前記電流制限手段が前記電流源であることを特徴とする請求項３に記載の表示装置。
【請求項５】
前記電流制限手段が、前記予備充電電流を制限するように配設される少なくとも１つの抵抗器を有することを特徴とする請求項３に記載の表示装置。
【請求項６】
動作中、前記電圧源が、前記発光素子のうちの少なくとも１つを選択し、前記電流源が、前記予備充電電流を制限するよう前記電圧源に接続されることを特徴とする請求項２に記載の表示装置。
【請求項７】
前記予備充電手段が、前記第１予備充電段階の間前記第１予備充電信号として予備充電電圧を生成し、前記第２予備充電段階の間前記第２予備充電信号として後続予備充電電圧を生成するために電圧源を有することを特徴とする請求項１に記載の表示装置。
【請求項８】
前記表示装置が、前記予備充電電圧と前記後続予備充電電圧とを生成するために抵抗を選択するための手段を有することを特徴とする請求項７に記載の表示装置。
【請求項９】
少なくとも１つの発光素子の動作電圧を得るために検出ユニットが設けられ、前記電圧源が前記動作電圧に基づいて前記後続予備充電電圧を生成することを特徴とする請求項２又は７に記載の表示装置。 
【請求項１０】
前記動作電圧が前記発光素子の定常状態に前記検出ユニットによって得られることを特徴とする請求項９に記載の表示装置。
【請求項１１】
表示装置の少なくとも１つの発光素子と関連する少なくとも１つのコンデンサを予備充電する予備充電装置であって、少なくとも、第１予備充電段階の第１予備充電信号と、第２予備充電段階の第２予備充電信号とを有する予備充電信号を生成する予備充電装置。
【発明の詳細な説明】
【技術分野】
【０００１】
本発明は、複数の発光素子を有する表示装置であって、前記素子のうちの少なくとも１つが関連コンデンサを持ち、前記装置が前記関連コンデンサを少なくとも部分的に充電する予備充電信号(pre-charge signal)を生成する予備充電手段を有する表示装置に関する。
【背景技術】
【０００２】
ますます多くのディスプレイの応用例において、有機発光ディスプレイ又は無機発光ディスプレイなどの発光マトリックスディスプレイが用いられている。発光マトリックスディスプレイの基本装置構造は、基本的に、構造電極(structured electrode)又は陽極、対電極(counter electrode)又は陰極、及び陽極と陰極との間にはさまれた発光層を有する。パッシブマトリックスディスプレイにおいては、陽極は、各々が電流源又は電圧源に接続されるよう適応される、陽極列とも呼ばれる（又は陽極ストリップの方向に依存して陽極行とも呼ばれる）別々の並列の陽極ストリップのセットを有し得る。更に、陰極は、陰極行とも呼ばれる（又は陰極ストリップの方向に依存して陰極列とも呼ばれる）別々の並列の陰極ストリップのセットを有し得る。通常、陰極ストリップの方向は、基本的に、陽極ストリップ又は列に対して垂直である。基本的に、このような陽極と陰極との交点が、前記表示装置の画素又は発光素子を規定し、それ故、前記陽極及び陰極のパターンが画素のマトリックスを規定する。このようなパッシブマトリックスディスプレイの電気図が図１に示されている。発光素子はダイオード１として示されている。このようなパッシブマトリックスディスプレイは、ここでは信号３として示されている連続的なパルスを連続的な電線２に印加することによって電線ごとにアドレス(address)され得る。これらの電線は、図１においては参照符号２によって示されており、ここでは一般的な陰極として表わされている。陰極は列４内の全陽極と共に１つずつ選択される。陽極には、必要とされるグレー値に対応するエネルギの電流（信号５）が供給される。グレー値は、通常、必要とされる条件に従って電流源のオン時間(on-time)又は電流の振幅を設定することによって得られる。
【０００３】
発光素子は、電圧又は電流によって駆動され得る。順方向電流が発光素子１に通される電流駆動マトリックスディスプレイは幾つかの利点を持つ。このようなマトリックスディスプレイの電流駆動の主な利点は良好なグレースケール制御である。発光素子１は、基本的に、発光層に順方向電流が通される場合に光を生成し、この電流は前記陽極／陰極パターンによって列４を介して印加される。光は、電子／正孔対が活性領域において再結合し、過剰なエネルギが部分的に光子、即ち光として発せられることから生じる。生成される光子の数（即ち、画素の明るさ）は、活性領域に注入される電子／正孔の数、即ち、画素を通過する電流に依存する。
【０００４】
電流駆動の不利な点は、ディスプレイマトリックス装置内に存在する寄生コンデンサを充電するために付加的な予備充電ドライバが必要とされることにある。図２は、パッシブマトリックスディスプレイの等価回路を示している。このディスプレイは電流源６によって電流駆動される。電線又は行の選択は電圧源７から得られる。黒色のダイオード１によって図示されているように、これらのダイオードは、選択された行に低い電圧、例えば接地レベルの電圧を印加することにより電圧源７によって選択され、他の行には、＋によって示されている高い電圧が印加され、これは他の行に取り付けられている全てのダイオードを事実上遮断する。黒色のダイオード１は、各々の電流源６によって駆動され、即ち、発光素子１が光を生成する。例えば、ダイオード１などの発光素子が、例えば、表示装置の内部及び外部の接続リード線及び／又は上記のサンドイッチ構造によってもたらされる寄生容量に起因する関連コンデンサＣ１を持つことはよく知られている。この関連コンデンサは充電される必要がある。更に、表示装置内の陽極構造及び陰極構造並びに接続部から生じる関連抵抗Ｒが存在し得る。
【０００５】
米国特許公報第5,723,950号は、関連静電容量を持つ発光装置のための予備充電ドライバを開示している。発光装置を駆動する方形波電流は、最初、発光装置の関連コンデンサを素早く充電するために鋭い電流パルスと共に印加される。このようなアプローチは口語では電流ブーストと呼ばれ、この表現は本出願においては電流予備充電の同義語として用いられる。
【０００６】
しかしながら、電流ブーストは、関連コンデンサを素早く予備充電することには成功するが、幾つかの不利な点を持つ。従来技術による電流ブーストが利用される場合には、これらの不利な点は、とりわけ、適応性のなさ、不正確さ及び／又はコスト効率の悪さに関する。
【発明の開示】
【発明が解決しようとする課題】
【０００７】
本発明の目的は、改善された予備充電手段を備える表示装置を提供することにある。本発明は独立項によって規定されている。従属項は有利な実施例を規定している。
【課題を解決するための手段】
【０００８】
前記目的は、前記予備充電手段が、少なくとも、第１予備充電段階の第１予備充電信号と、第２予備充電段階の第２予備充電信号とを有する前記予備充電信号を生成するよう適応されることを特徴とする表示装置を提供することによって達成される。前記予備充電段階を幾つかの下位段階（即ち、前記第１予備充電段階、前記第２予備充電段階及び他の予備充電段階）に分割することによって、前記関連コンデンサの予備充電のより高度な適応性が達成され得る。なぜなら、それは、予備充電中に幾つかの異なる予備充電基準を満たす予備充電信号を供給することを可能にするからである。これらの予備充電基準は、結果として生じる信号の正確さ及び／又は関連コンデンサの予備充電が達成される時間を指し得る。
【０００９】
本発明は、関連コンデンサが充電されるべきである全ての表示装置に適用されることは分かるであろう。前記電流駆動パッシブマトリックスディスプレイの他にも、小分子又は高分子有機ＬＥＤディスプレイ、無機ディスプレイ、エレクトロルミネセンスディスプレイ、電界放出ディスプレイ、アクティブアドレスディスプレイ（active-addressed display）及び液晶ディスプレイ（ＬＣＤ）も、開示されるような予備充電装置の恩恵を受け得る。ここで提案されている方法は、充電電流を制限されたままにしながら高速プリセットが必要とされるディスプレイにおいて有利に用いられ得る。表示画素の寸法は定められる必要がないので、前記方法は、セグメント・ディスプレイ(segmented display)を駆動するのにも用いられ得る。以下では電流駆動パッシブマトリックスディスプレイの例を詳細に説明する。
【００１０】
本発明の実施例において、前記予備充電手段は、前記第１予備充電段階の間電流予備充電信号を生成する電流源と、前記第２予備充電段階の間後続電圧予備充電信号(subsequent voltage pre-charge signal)を生成する電圧源とを有する。組み合わせブーストのこの実施例は、前記電流ブーストのアプローチの高速充電が、あまり高速ではないがはるかに正確な後続電圧ブーストと組み合わされる利点を持つ。まず、前記関連コンデンサは、前記発光素子の動作電圧に向けて大雑把に予備充電され、その後、正確に前記動作電圧に近づけ得る予備充電電圧が印加される。前記動作電圧は表示ダイオードを所要の輝度レベルで駆動するのに必要とされる電圧である。更に、後に電圧ブーストによってより正確な予備充電信号が印加されることから、前記電流ブーストは、純粋な電流ブーストと比較してあまり正確である必要がない。それ故、前記電流予備充電信号を印加する手段は、あまり厳しい要求を満たす必要がなく、その結果として、電流ブースト供給源は、前記表示装置においてより容易に、あまりコストをかけずに実施され得る。
【００１１】
本発明の実施例において、予備充電電流は制限される。高い予備充電電流は前記表示装置において干渉を引き起こすかもしれず、その結果として、駆動されていない発光素子が光を生成するかもしれない。更に、高い予備充電電流は、前記表示装置において、図２において抵抗Ｒとして描かれている寄生抵抗の両端子間の大きな電圧降下を引き起こすかもしれない。前記予備充電電流の制限は、好ましくは、電流源を用いることによって達成され、前記電流源は、動作中素子のマトリックスにおいて発光素子を選択するよう適応される電圧源に接続され得る。後者の装置は、前記予備充電電流の自動飽和(automatic saturation)及び前記表示装置における容易な実施という利点を供給する。前記電流は、適切な予備充電電流を得るために選択され得る抵抗又は抵抗の組み合わせによっても制限され得る。他の例において又は付加的に、例えばコイルなどの別の電流制限素子が用いられ得ることは分かるであろう。
【００１２】
本発明の実施例において、前記予備充電手段は、前記第１予備充電段階の間第１抵抗を介して電圧予備充電信号を生成し、前記第２予備充電段階の間第２抵抗を介して後続電圧予備充電信号を生成するために電圧源を有する。このようなアプローチは、単独の電圧ブーストの不利な点を減らすかもしれず、前記表示装置において非常に容易に実施され得る。もはや正確な電流源は必要とされないことから、このアプローチもまた非常にコスト効率が良い。
【００１３】
本発明の実施例において、前記予備充電手段は、少なくとも１つの発光素子の前記動作電圧を得るよう適応され、前記第２予備充電段階の間前記動作電圧に従って予備充電電圧信号を生成するよう適応される。この実施例は、前記関連コンデンサの静電容量の変化及び前記発光素子の材料の変化に対する自動適応が達成されるという利点を供給する。変化は、前記素子の経年変化によるもの、及び／又は前記有機材料が異なるロットに対してわずかに異なる特性を持ち得ることによるもの、及び／又は層厚のばらつきによるものであり得る。好ましくは、前記動作電圧は、前記発光素子の定常状態において、即ち、前記素子が駆動される期間の最後付近で得られる。更に、純粋な電流予備充電方式の場合のようにあらゆる輝度レベルのために前記予備充電電流の振幅及び時間を設定する必要性がない。更に、特に、低いグレーレベルにおいて、一様な明るさが得られる。なぜなら、これらの低いグレーレベルを生成するのに必要とされる電荷の量は、前記関連コンデンサを充電する電荷と比較して少ないからである。
【００１４】
本発明は、上記のような前記予備充電信号及び前記予備充電手段に関する特徴を有するエレクトロルミネセントマトリックス予備充電装置(electroluminescent matrix pre-charging arrangement)にも関する。
【００１５】
本発明は、このような表示装置及び／又は予備充電装置を有する電子装置にも関する。このような電子装置は、例えば、モニタなどの装置であってもよく、また、移動体電話又はＰＤＡなどの携帯用装置であってもよい。多重セグメント・ディスプレイもまた、とりわけ、様々なセグメントの寸法又は材料が異なる場合に、本発明に基づいて有利に駆動される。
【００１６】
米国特許公報第US 6,369,786 B1号は、しきい値電圧まで電圧ブーストが印加される表示素子のマトリックスを開示している。しかしながら、先立つ電流ブーストも前記動作電圧までの電圧ブーストも開示されていない。
【００１７】
以下に添付図面を参照して本発明のこれら及び他の特徴をより詳細に説明し、明らかにする。
【発明を実施するための最良の形態】
【００１８】
本発明の実施例の適切な理解のために、まず、電流ブースト及び電圧ブーストの概念を簡単に記載する。
【００１９】
図３Ａは、以下でＬＥＤ１と呼ばれる単一の発光ダイオード１を示しており、ＬＥＤ１は、図１に示されているようなパッシブマトリックスディスプレイの一部である。ＬＥＤ１は、電流源６によって電流駆動され、パッシブマトリックスにおいて電圧源７によって選択され得る。ＬＥＤ１と直接的に関連する静電容量Ｃ１が、充電されるべき列４内のＬＥＤ１の全関連コンデンサを表わす静電容量Ｃｎと共に示されている。関連コンデンサＣ１及びＣｎを予備充電するために電流ブースト供給源８が設けられる。更に、この回路は、ＬＥＤ１を電流源６、電圧源７及び電流ブースト供給源８に接続するためのスイッチＳ１、Ｓ２、Ｓ３、Ｓ４及びＳ５を示している。
【００２０】
図３Ｂにおいては、電流ブースト方式が図３Ａに関して示されている。示されているグラフは、時間ｔの関数として図３Ａに示されている電流Ｉ及び点Ｘにおける電圧Ｖを表わしている。一番下のグラフはＬＥＤ１によって発せられる光Ｌを指している。ＬＥＤ１は時間ｔ＝ｔ０にパッシブマトリックスディスプレイにおいて光を生成するよう要求されると仮定する。関連コンデンサＣ１及びＣｎは、駆動電流ＩｄがＬＥＤ１を流れる前に充電されることから、これらの関連コンデンサを充電するためには駆動電流に先立つ電流が必要とされる。この電流は、典型的にはブースト電流Ｉｂとして供給される。このブースト電流Ｉｂは、ｔ０の前の適当な時間において、例えばｔ＝０とｔ＝ｔ０との間にブースト電流供給源８から得られる。ブースト電流Ｉｂは、典型的には、電流源６からのＬＥＤ１を駆動するための駆動電流Ｉｄより著しく高い。
【００２１】
ｔ＝０において、スイッチＳ２、Ｓ３及びＳ４は開いているが、Ｓ１及びＳ５は閉じられる。この状況においては、ＬＥＤ１は選択されず、電流ブーストＩｂは関連コンデンサＣ１及びＣｎを充電し得る。ブースト電流Ｉｂは、電流振幅及び時間をプログラムすることによって設定され得る最大許容電流でなければならない。このようにして、ＬＥＤ１の両端の電圧Ｖは、動作電圧の近くに選ばれ得る特定の電圧レベルへ素早くブーストされ得る。ブーストすることによって生成されるＬＥＤ１の両端の最終電圧は電流振幅及び時間をプログラムすることによって到達されるので、関連コンデンサにおける如何なる変化によっても最適でないブーストがもたらされ得る。この変化は、例えば、ＬＥＤのサンドイッチ構造における層厚のばらつき、材料の経年変化、又は相互接続リード線の特性によってもたらされ得る。最終電圧は、ブースト電流Ｉｂのタイミング及び振幅にも依存する。このため、この最終電圧は、あまり正確に規定されず、それどころか動作電圧を超えるかもしれない、即ち、オーバシュートが生じるかもしれない。
【００２２】
ｔ＝ｔ０において、スイッチＳ１が開けられ、即ち、パッシブマトリックスディスプレイにおいてＬＥＤ１が選択される。更に、電流源６によって駆動電流Ｉｄを用いてＬＥＤ１を駆動するために、Ｓ４及びＳ５が開けられる一方で、Ｓ２及びＳ３が閉じられる。図３Ｂに一例として示されているように、ｔ＝ｔ０におけるダイオードの両端の電圧Ｖは、その時にはまだ動作電圧に到達しておらず、それ故、ＬＥＤ１から生成される光Ｌがまだ所要レベルＬｄにないので、正確ではない。幾らかの初期オーバシュート（図示せず）も存在し得る。
【００２３】
結論として、電流ブーストは、高速だが不正確な、パッシブマトリックスディスプレイの関連コンデンサを予備充電する方法を供給する。
【００２４】
図４Ａには電圧ブースト方式が示されている。図３Ａに示されている電流ブースト方式のための構成要素と同等の構成要素は同一の参照符号によって示されている。この例において、電圧ブースト方式は、スイッチＳ６を用いて、パッシブマトリックスディスプレイのＬＥＤ１を選択するためだけでなく、電圧ブーストのためにも電圧源７を利用する。
【００２５】
図４Ｂは、図４Ａに示されている回路によって実行されるべき電圧ブースト方式を示している。点Ｘにおける全電荷が取り除かれており、クロストークに関連する画素コンテンツ(pixel content)が生じないことを保証するために、スイッチＳ４は時間ｔ＝０の直前に閉じられてもよく、その後、Ｓ４は開けられる。
【００２６】
時間ｔ＝０（Ｓ１及びＳ６が閉じられる際）に、電圧源７の電圧がＬＥＤ１に印加され、これは、理論的には無限に高い電流Ｉをもたらす。電圧ブーストの結果として、時間ｔ＝ｔ０の前にＬＥＤ１の両端の最終電圧が正確に得られる。時間ｔ＝ｔ０においてＳ２及びＳ３が閉じられ、図４Ｂにおいて見られ得るように、ＬＥＤ１から発せられる光Ｌは時間ｔ＝ｔ０以降所要レベルＬｄを持つ。
【００２７】
電圧ブーストされるシステムにおいては、最終電圧は、電圧源７、関連コンデンサＣ１、Ｃｎ及びそれらの相互接続部によって形成される電流ループ内の直列抵抗の値と無関係に、ＬＥＤ１の両端の電圧Ｖの所要値によって決定される。直列抵抗は電流を制限する。電圧源は理想電圧源ではなく、パッシブマトリックス表示装置の電極及びこれらの電極との接続部からもたらされる他の寄生的な列及び行の抵抗が存在する。この抵抗は、例えばＲＣ時定数の約３倍というように、関連コンデンサＣ１、Ｃｎが適切に充電されるまでの最短充電時間を設定する。抵抗が大きい可能性があるので、この結果は著しい時間遅延であり得る。斯くして、電圧ブースト方式においては、ｔ＝ｔ０において得られる電圧は正確であるが、時間的に不利な点がある。
【００２８】
結論として、電圧ブーストは、正確だが遅い、パッシブマトリックスディスプレイの関連コンデンサを予備充電する方法を供給し、大きな初期電流が流れ得る。
【００２９】
図５Ａは、本発明の第１実施例によるブースト・駆動回路(boosting and driving circuit)を示している。図５Ａにおいて、図３Ａ及び図４Ａに示されている構成要素と同一の構成要素は同一の参照符号によって示されている。
【００３０】
電流源６は、このＬＥＤ１を駆動するためにスイッチＳ３を介してＬＥＤ１の陽極に接続され得る。陽極は、更に、スイッチＳ４を介して接地電位に接続され得る。（低オーム）電圧源７は、パッシブマトリックスディスプレイにおいてＬＥＤ１を選択するためにスイッチＳ１を介してＬＥＤ１の陰極に電位を供給するよう適応される。Ｓ１が閉じられる場合には、ＬＥＤ１は、選択されず、光を生成しないであろう。ＬＥＤ１の陰極は、更に、スイッチＳ２を介して接地電位に接続され得る。更に、ＬＥＤ１は、ＬＥＤ１と並列に関連コンデンサＣ１を持つ。更に、同じ陽極列４内のｎ個の他の発光素子の関連コンデンサ及び電線の寄生容量を表わす関連コンデンサＣｎがＬＥＤ１と並列に存在する。電流ブースト供給源８は、スイッチＳ５を介してＬＥＤ１の陽極に接続され得る。電流源６及び電流ブースト供給源８は供給電圧Ｖｓによって供給される。更に、電圧源７はスイッチＳ６を介してＬＥＤ１の陽極に接続され得る。最後に、電圧源７は、リード線９及び検出ユニット１０を介して、点Ｘの電位、即ち、Ｓ２が閉じられる場合にＬＥＤ１の両端に印加される電圧を検出又は測定することを可能にされる。
【００３１】
図５Ｂには、本発明による第１実施例の動作を図示するためにブースト・駆動方式が示されている。
【００３２】
時間ｔ＝０において、スイッチＳ１及びＳ５が閉じられ、即ち、パッシブマトリックスディスプレイにおいてＬＥＤ１は選択されず、関連コンデンサＣ１及びＣｎを充電するために第１予備充電信号としてブースト電流Ｉｂが電流ブースト供給源８を介して印加される。Ｉｂの制限は、表示装置においてクロストークが起こるのを防止する一方で、関連コンデンサを充電するのに十分な電荷を供給する必要条件によって設定される。この第１段階の間、ＬＥＤ１の両端の電圧は、大雑把に、素早く、ＬＥＤ１の動作電圧の近くのレベルに持って行かれる。
【００３３】
この電圧に到達する場合に、時間ｔ＝ｔｓにおいてスイッチＳ２及びＳ６を閉じて第２ブースト段階が開始され、ここで、第２予備充電信号として後続電圧ブーストが印加される。この第２段階の間にＬＥＤ１の両端の電圧は正確に動作電圧に持って行かれる。ＬＥＤ１の定常状態、即ち、電圧源７による電線の選択の終了時の状態において、供給される電圧は、好ましくは動作電圧と等しい。この第２段階の間、ＬＥＤ１の両端の電圧を動作電圧のレベルに持って行くのに非常に小さな電流しか必要とされない。ＬＥＤ１の両端の電圧は、接続部９を介して検出又は測定され、電圧源７にフィードバックされ得る。ＬＥＤ電圧Ｖの検出ユニット１０は、大雑把な電流ブーストによってもたらされる第１予備充電段階の間のダイオードの両端の電圧のオーバシュートが、図５Ｂにおいて点線によって図示されているように第２予備充電段階において補正されることを可能にする。
【００３４】
時間ｔ＝ｔ０において、スイッチＳ２及びＳ３が閉じられ、ＬＥＤ１は、駆動電流Ｉｄを受け取り、必要とされる量の光Ｌｄを発する準備が整っている。好ましくは、スイッチＳ１を開け、スイッチＳ２を閉じることによってＬＥＤ１が選択される前に全ての関連コンデンサＣ１及びＣｎが完全に充電される。例えば第１予備充電段階と第２予備充電段階との間の移行時にスイッチＳ１を開けることによってＬＥＤ１を選択するような他のスイッチングシーケンスも可能である。 
【００３５】
結論として、電流ブーストの概念と、後続電圧ブーストの概念とを組み合わせることによって、両方の概念の利点が得られ得る、即ち、クロストークが起こるのを防止するよう最大充電電流が制限される一方で、高速且つ正確なブースト方式が得られ得る。更に、後でより正確な予備充電信号が電圧ブーストの形態で印加されることから、電流ブーストは純粋な電流ブーストと比較してあまり正確である必要がない。それ故、電流予備充電信号を印加する回路はあまり厳しい要求を満たす必要がなく、その結果、電流ブースト供給源は、表示装置においてより容易に、あまりコストをかけずに実施され得る。
【００３６】
図６Ａには本発明の第２実施例が示されている。図５Ａにおいては、電流ブースト供給源８は供給電圧Ｖｓから高電位を供給されていた。図６Ａに示されている組み合わせブースト回路は、リード線１１が電流ブースト供給源８を電圧源７に接続していること以外は図５Ａに示されている回路と等しい。この構成はパッシブマトリックスディスプレイを駆動する集積回路において容易に実施され得る。この構成の別の利点は、最大ブースト電流が予め正確にプログラムされる必要がないことにある。
【００３７】
電圧源７の電圧を正確に適応するために検出ユニット１０が用いられてもよい。
【００３８】
動作中、図６Ｂに表示されているように、時間ｔ＝０において開始する第１予備充電段階の間、スイッチＳ１及びＳ５を閉じることによって電流ブースト供給源８からブースト電流Ｉｂが印加される。この電流が関連コンデンサＣ１及びＣｎを充電するにつれて、ＬＥＤ１の両端の電圧Ｖは増大する。点Ｘの電位が電圧源７から供給される電位に近づく場合、電流ブースト供給源８はもはや初期ブースト電流Ｉｂを供給することが出来ない。これは、図６Ｂにおいて時間ｔが時間ｔｓに近づくと電流Ｉが減少することから分かり得る。
【００３９】
時間ｔ＝ｔｓにおいて、電流Ｉが急速に減少し、第２段階が開始される。この第２段階においては、スイッチＳ６が閉じ、それによって電圧源７からＬＥＤ１に後続電圧ブーストを印加する。前記電圧は時間ｔ＝ｔ０前に正確に動作電圧に持って行かれる。
【００４０】
時間ｔ＝ｔ０において、ＬＥＤ１を動作させるためにスイッチＳ２及びＳ３が閉じられる。
【００４１】
上記の実施例においては、電流ブースト供給源８からブースト電流を供給することによってブースト電流Ｉｂの制限が達成された。しかしながら、ブースト電流の制限は電圧源と組み合わせて１つ以上の抵抗を用いることによっても達成され得る。このような実施例は図７Ａに示されている。この実施例においては、２つの抵抗Ｒ１及びＲ２が用いられている。Ｒ１は、Ｒ２より著しく大きい抵抗値を持つ。同様により多くの抵抗器又は抵抗器の組み合わせが用いられ得ることは分かるであろう。抵抗器はスイッチＳ７及び／又はＳ８によって選択され得る。更に、スイッチＳ７及びＳ８又はコイルに固有の抵抗などの他の構成要素からの抵抗もまたもたらされ得ることは分かるであろう。抵抗の配列を設けることは、最大許容電流よりほんの少し小さいブースト電流を印加するための適応性を高める。
【００４２】
図７Ｂは、図７Ａに示されている構成の動作を図示している。
【００４３】
時間ｔ＝０において、スイッチＳ１及びＳ７を閉じることによって第１予備充電段階が開始される。電圧源７からの電圧が抵抗Ｒ１を介してＬＥＤ１に印加される。表示装置内を流れる電流は、Ｒ１のために適切な値を用いることによって制限され得る。
【００４４】
時間ｔ＝ｔｓにおいて、スイッチＳ８を閉じることによって抵抗Ｒ２が用いられ、第２予備充電段階が開始される。Ｓ７は閉じられたままであってもよいことに注意されたい。なぜならこれは全抵抗をＲ２未満に低減させるからである。ここでは時間ｔ＝ｔｓの近くでそうであるように、好ましくは、第１段階における電流Ｉが急速に減少している間にこの第２段階に入られる。
【００４５】
時間ｔ＝ｔ０において、ＬＥＤ１を動作させるためにスイッチＳ２及びＳ３が閉じられる。
【００４６】
図７Ａの実施例においては、抵抗Ｒ１及びＲ２を介して２つの電圧ブースト段階が用いられる。図７Ａに示されているブースト・駆動回路の利点は、正確な電流源が必要とされず、その結果として、非常にコスト効率の良い回路が得られることにある。この場合、関連コンデンサの高速充電のための、電流の減少に伴って、より低い抵抗が選択され、その結果として、第２放電段階の間より高い電流が得られる高速電圧ブーストが得られる。このようにして、充電の速度は、抵抗器Ｒ１及びＲ２の選択によって決定される。例えば適応性を高めるためにより多くの抵抗器又はスイッチ部が付加されてもよい。
【００４７】
本発明の教示する目的のために、表示装置、予備充電装置及びこのような表示装置を有する電子装置の好ましい実施例を上に記載した。
【００４８】
上記の実施例は、本発明を説明するものであって、本発明を限定するものではなく、当業者は添付されている特許請求の範囲から外れない多くの別の実施例を設計することが出来るであろうことに注意されたい。特許請求の範囲において、括弧内に配置されている如何なる参照符号も特許請求の範囲を限定するものとして解釈されるべきではない。「有する」という用語は特許請求の範囲内に列挙されている素子又はステップ以外の素子又はステップの存在を除外しない。素子の単数形表記はこのような素子の複数の存在を除外しない。幾つかの手段を列挙している装置クレームにおいては、これらの手段の幾つかはハードウェアの同一アイテムによって実施され得る。ただ単に或る方策が互いに異なる従属項において列挙されているということは、これらの方策の組み合わせが有利に用いられ得ないことを示さない。
【図面の簡単な説明】
【００４９】
【図１】一般的な陰極の概念におけるパッシブマトリックス有機ＬＥＤディスプレイを示す。
【図２】図１のパッシブマトリックスディスプレイの一部の等価回路を示す。
【図３Ａ】ＬＥＤディスプレイのための従来の電流ブーストのアプローチを図示する。
【図３Ｂ】ＬＥＤディスプレイのための従来の電流ブーストのアプローチを図示する。
【図４Ａ】ＬＥＤディスプレイのための従来の電圧ブーストのアプローチを図示する。
【図４Ｂ】ＬＥＤディスプレイのための従来の電圧ブーストのアプローチを図示する。
【図５Ａ】組み合わされた電流及び電圧のブーストの本発明による第１実施例を示す。
【図５Ｂ】組み合わされた電流及び電圧のブーストの本発明による第１実施例を示す。
【図６Ａ】組み合わされた電流及び電圧のブーストの本発明による第２実施例を示す。
【図６Ｂ】組み合わされた電流及び電圧のブーストの本発明による第２実施例を示す。
【図７Ａ】２段階の電圧ブーストの本発明による第３実施例を示す。
【図７Ｂ】２段階の電圧ブーストの本発明による第３実施例を示す。
【図１】
2006506680.tif 000003
【図２】
2006506680.tif 000004
2006506680.tif 000005
2006506680.tif 000006
2006506680.tif 000007
2006506680.tif 000008
2006506680.tif 000009
【国際調査報告】
2006506680.tif 000010
2006506680.tif 000011
2006506680.tif 000012